(57)【特許請求の範囲】
【請求項１】
固定枠体１に対して手動により開閉される重量開閉体２に固着される台座３と、台座３に回転可能に支持されて重量開閉体２の前面側に配置されるレバーハンドル４と、レバーハンドル４の回転軸部５に連結されて重量開閉体２の側面６の溝部７に収納されるキックアーム８とからなり、
ローラーで構成した操作体９をレバーハンドル４の回転軸部５と平行な枢軸１１によってキックアーム８の先端部に連結してあり、
回転軸部５からのレバーハンドル４の腕の長さを、回転軸部５からのキックアーム８の腕の長さよりも長く設定してあり、
レバーハンドル４と台座３の間にハンドル用バネ１２を装備し、キックアーム８と操作体９が前記溝部７内に収納された位置に保持されるようにレバーハンドル４を回転付勢してあり、
レバーハンドル４を重量開閉体２の中心側に回転させてキックアーム８を溝部７から突出させ、キックアーム８の先端部の操作体９によって固定枠体１の側面１０を突き押し、重量開閉体２の側面６を固定枠体１の側面１０から離反させるようにした重量開閉体用起動ハンドル装置において、
台座３を重量開閉体２に固着する固着部材１３を隠蔽するキャップ１４を台座３の前面部に嵌め合わせ、キャップ１４とレバーハンドル４の間に装備したキャップ用バネ１５と、台座３に形成したカム面１６ａ，１６ｂ，１６ｃ，１６ｄによって、キャップ１４を台座３と正対する位置または台座３と直角な位置に誘導してあることを特徴とする重量開閉体用起動ハンドル装置。
【請求項２】
キャップ１４を台座３に嵌め合わせ被着した状態において、キャップ１４の前面板部１４ｂと台座３の前面部との間に余裕空間を残置し、キャップ１４の前面板部１４ｂと当接するキャップ押えリング３６の後端面３６ａに、凸状の湾曲部と凹状の湾曲部を９０度の位相間隔で交互に形成したことを特徴とする請求項１に記載の重量開閉体用起動ハンドル装置。
【発明の詳細な説明】
【０００１】
【発明の属する技術分野】
本発明は、建物の窓部や出入り口部に装備され、手動操作で開閉されるサッシドア等の起動ハンドル装置に関するものである。
【０００２】
【従来の技術】
遮音性能や冷暖房性能の向上のためにガラス板を内外二重にした開閉体が採用されて来ているが、このように重量が重くなった開閉体では、当然のことながら慣性抵抗が大きくなるため、開閉体を閉鎖位置から開放方向に駆動するとき、あるいは開放位置から閉鎖方向に駆動するときには、大きな初期駆動力を必要とする。
【０００３】
しかしながら、従来の開閉体用ハンドル装置は、単に開閉体を横引き操作するための引手部材を開閉体の前面側に突出配備しただけのものであるか（例えば、特許文献１参照）、開閉体を建物などの固定枠体に錠止するロック手段を引手部材に併設しただけのものである（例えば、特許文献２参照）。そのため、女性や子供、老人は勿論として、成人男性であっても重量開閉体の開閉操作に難儀することがあった。
【０００４】
【特許文献１】
実公昭５９―３６６１３号公報
【特許文献２】
特許第３２７６６０９号公報
【０００５】
【発明が解決しようとする課題】
したがって本発明の目的は、操作者の初期負荷が大幅に軽減され、開閉操作が軽快に行える重量開閉体用起動ハンドル装置を提供することである。
【０００６】
【課題を解決するための手段】
請求項１の発明の特徴は、固定枠体１に対して手動により開閉される重量開閉体２に固着される台座３と、台座３に回転可能に支持されて重量開閉体２の前面側に配置されるレバーハンドル４と、レバーハンドル４の回転軸部５に連結されて重量開閉体２の側面６の溝部７に収納されるキックアーム８とからなり、
ローラーで構成した操作体９をレバーハンドル４の回転軸部５と平行な枢軸１１によってキックアーム８の先端部に連結してあり、
回転軸部５からのレバーハンドル４の腕の長さを、回転軸部５からのキックアーム８の腕の長さよりも長く設定してあり、
レバーハンドル４と台座３の間にハンドル用バネ１２を装備し、キックアーム８と操作体９が前記溝部７内に収納された位置に保持されるようにレバーハンドル４を回転付勢してあり、
レバーハンドル４を重量開閉体２の中心側に回転させてキックアーム８を溝部７から突出させ、キックアーム８の先端部の操作体９によって固定枠体１の側面１０を突き押し、重量開閉体２の側面６を固定枠体１の側面１０から離反させるようにした重量開閉体用起動ハンドル装置において、
台座３を重量開閉体２に固着する固着部材１３を隠蔽するキャップ１４を台座３の前面部に嵌め合わせ、キャップ１４とレバーハンドル４の間に装備したキャップ用バネ１５と、台座３に形成したカム面１６ａ，１６ｂ，１６ｃ，１６ｄによって、キャップ１４を台座３と正対する位置または台座３と直角な位置に誘導してあることである。
【０００７】
【０００８】
【０００９】
【００１０】
【００１１】
【００１２】
請求項２の発明の特徴は、請求項１の発明の前記公正に加えて、キャップ１４を台座３に嵌め合わせ被着した状態において、キャップ１４の前面板部１４ｂと台座３の前面部との間に余裕空間を残置し、キャップ１４の前面板部１４ｂと当接するキャップ押えリング３６の後端面３６ａに、凸状の湾曲部と凹状の湾曲部を９０度の位相間隔で交互に形成したことである。
【００１３】
【発明の作用】
請求項１の発明の起動ハンドル装置では、重量開閉体２が固定枠体１の開口部１７内を左右横方向に開閉移動するように配置され、請求項１の発明の起動ハンドル装置が重量開閉体２の右側の側部に装備され、閉鎖状態において重量開閉体２の側面６が固定枠体１の側面１０に当接しているとき、レバーハンドル４の手掛け部４ａはほぼ垂直状態に配置されている。ここで、レバーハンドル４の手掛け部４ａを握ってレバーハンドル４が重量開閉体２の中心側に倒れるように回転させると、レバーハンドル４と一体にキックアーム８が台座３に対して回転し、キックアーム８の先端部が重量開閉体２の側面６の溝部７から旋回して突き出される。
【００１４】
この突出動作の当初または過程において、キックアーム８の先端部の操作体９が固定枠体１の側面１０を突き押す。この突き押しの反作用によって重量開閉体２は固定枠体１の側面から突き離され、重量開閉体２はレバーハンドル４をそのまま横引きすることによって所要開度まで開放され、あるいは全面開放される。
前記したキックアーム８の突き押し作用によって、重量開閉体２の操作者は開放操作の開始当初に受ける負荷を軽減させられる。
【００１５】
上記起動ハンドル装置を重量開閉体２の左右両方の側部に装備しておけば、重量開閉体２は開放操作時だけでなく、全面開放した後の閉鎖操作時においても、操作者の初期負荷を軽減させる。
【００１６】
レバーハンドル４の前記回転操作によってキックアーム８の先端部が重量開閉体２の前記溝部７から旋回して突出するとき、ローラーよりなる操作体９の円周面９ａが固定枠体１の側面１０に転接する転接する。そのため、操作体９と固定枠体１との間の摩擦抵抗が軽減され、固定枠体１の側面１０が傷つけられることなく、円滑な突き離し動作が確実になされる。
【００１７】
レバーハンドル４の腕の長さとキックアーム８の腕の長さとの比に逆比例して、操作者がレバーハンドル４に与える駆動力が小さくなる。そのため、操作者が受ける初期負荷は一層低減され、レバーハンドル４による開放操作が格段に軽快になされる。
【００１８】
キックアーム８はレバーハンドル４と台座３の間に装備したバネ１２の作用によって重量開閉体２の中心側に向かって回転付勢され、操作体９は重量開閉体２の前記溝部７内に引き込み収納される。そのため、重量開閉体２の開放中にキックアーム８と操作体９が重量開閉体２の側面６より張出して邪魔な存在となることがない。
【００１９】
更にまた、上記起動ハンドル装置では、キャップ１４を適宜方向に回転させると、キャップ１４とレバーハンドル４の間に装備したキャップ用バネ１５と、台座３に形成したカム面１６ａ，１６ｂ，１６ｃ，１６ｄによって、キャップ１４は台座３と正対する嵌合位置に誘導され、あるいは台座３と直角な退避位置に誘導される。
【００２０】
キックアーム８の操作体９によって重量開閉体２を固定枠体１から突き離したとき、レバーハンドル４は垂直位置から９０度未満の回転位置で停止しており、手掛け部４ａを握ってレバーハンドル４を横引きするとき、操作者の手が手掛け部４ａから滑り抜けたりして操作のために加えた力が逃げない。そのため、レバーハンドル４をそのまま横引きすることによって確実に重量開閉体２を開放操作できる。
【００２１】
請求項２の発明の起動ハンドル装置では、キャップ１４を台座３に嵌め合わせ被着した状態において、キャップ１４の前面板部１４ｂと台座３の前面部との間に余裕空間を残置するとともに、キャップ１４の前面板部１４ｂと当接するキャップ押えリング３６の後端面３６ａに、凸状の湾曲部と凹状の湾曲部を９０度の位相間隔で交互に形成してあり、円周方向に沿って後端面３６ａが波を打っているため、前記バネ１５で付勢されたキャップ押えリング３６とキャップ１４の前面板部１４ｂとの間には適度の弾性によるクリック作用がある。
【００２２】
【発明の実施の形態】
図示の実施例では、台座３は縦長の角形ブロック状に形成されており、台座３の中央部には軸受孔１８が前後水平方向に貫通して形成されている。軸受孔１８の基端部の内周面には、一対の扇形凹部１９，１９が直径方向に対向して、主体部分から段差を付けて形成されている。
軸受孔１８に嵌められたセットリング２０の基端部外周面には、一対の扇形凸部２１，２１が直径方向に対向して、主体部分から段差を付けて形成されている。
【００２３】
セットリング２０の中央孔２２の内周面には９０度間隔にスプライン突起２３が形成され、レバーハンドル４の回転軸部５の外周面には９０度間隔にスプライン溝２４が形成されている。スプライン突起２３をスプライン溝２４に嵌めることによって、セットリング２０がレバーハンドル４に相対回転不能に連結されている。扇形凹部１９の中心角は扇形凸部２１の中心角よりも３０度大きく設定されており、扇形凹部１９の端面１９ａに扇形凸部２１の端面２１ａが当たることによって、台座３に対するレバーハンドル４の回転角度は３０度に規制されている。
【００２４】
レバーハンドル４の手掛け部４ａは重量開閉体２の閉鎖位置では垂直状態にあり、重量開閉体２を固定枠体１から突き離したときには、垂直位置から３０度回転した位置で回転停止している。そのため、レバーハンドル４を使用して重量開閉体２を横引きするとき、手掛け部４ａから手が滑り抜けたりして、操作者が付加した力が逃げることがない。
【００２５】
レバーハンドル４を使用して重量開閉体２を横引きするとき、操作者が付加した力が逃げず、横引き操作に有効に転化使用されるようにするためには、レバーハンドル４の手掛け部４ａを正面から見たとき、進行方向に向かって凸に屈曲または湾曲するように形成するのが望ましい。
【００２６】
前記回転軸部５には中心軸線に沿って断面角形の連動孔２５が背面側から形成されており、連動孔２５には断面角形の連動軸２６が相対回転不能に嵌められている。連動軸２６が相対回転不能に嵌められる角孔２７は、キックアーム８の基端部にオフセット状に形成されている。キックアーム８の先端部に形成した割溝部２８には、ローラーよりなる操作体９が嵌め込まれ、連動軸２６と平行な枢軸１１によってロックアーム８に回転可能に連結されている。
【００２７】
台座３の軸受孔１８とセットリング２０の間の環状空間には、捻りコイルバネよりなるハンドル用バネ１２の主体コイル部が嵌め込まれており、該バネ１２の一方の直線端部１２ａは台座３側の受溝２９に嵌め込まれ、バネ１２の他方の直線端部１２ｂはセットリング２０の半径方向の小孔３０に嵌め込まれている。このようなバネ配置のため、レバーハンドル４は、図２において時計回り方向に回転付勢されており、重量開閉体２を開放した後、レバーハンドル４から操作者が手を離すと、レバーハンドル４は図２の鎖線位置から実線位置に回転復帰し、キックアーム８と操作体９は鎖線位置から破線位置に回転復帰する。
【００２８】
台座３の軸受孔１８の前端部には、直径を縮小して軸受筒部３１が形成されており、レバーハンドル４の回転軸部５の中間部には中径軸部５ａが段差状に形成されている。この軸受筒部３１と中径軸部５ａの間の環状空間には、一対のスラストリング３２，３３がブッシュ状に嵌め込まれている。一方のスラストリング３２の環状フランジ部３２ａは、軸受筒部３１の後端面３１ａとセットリング２０の前端面２０ａの間に挿入されている。他方のスラストリング３３の環状フランジ部３３ａは、軸受筒部３１の前端面３１ｂに当接している。
【００２９】
縦長の薄箱状のキャップ１４は中央部には、台座３の軸受筒部３１が相対回転可能に嵌められる円形孔３４が形成されている。円形孔３４の背面側には、軸受筒部３１の外周面に当接する安定用環状フランジ部３４ａが形成されている。レバーハンドル４の回転軸部５の根元部には大径軸部３５が形成されている。大径軸部３５に嵌められたキャップ押えリング３６は、内周面に直径方向に対向した一対の位置決め突起３７が形成されている。大径軸部３５の外周面に形成した一対の受溝３８に位置決め突起３７が嵌められることによって、キャップ押えリング３６は軸方向には移動可能であるが、回転軸部５に対して相対回転不能である。
【００３０】
台座３には大径軸部３５の外側に環状溝３９が形成されており、環状溝３９には圧縮コイルバネよりなるキャップ用バネ１５が嵌められている。キャップ押せリング３６は、台座３の軸受筒部３１の前端部に嵌められている。前記バネ１５によって台座３方向に押されたキャップ押えリング３６は、キャップ１４の円形孔３４の周縁部前面に当接している。
【００３１】
台座３の上面３ａの中央部には、前面に向かう程下向きに傾斜したカム面１６ａが形成され、台座３の下面３ｂの中央部には、前面に向かう程上向きに傾斜したカム面１６ｂが形成されている。台座３の前面の上半分は、円形孔３４に向かって後退するように傾斜したカム面１６ｃに形成され、台座３の前面の下半分は、円形孔３４に向かって後退するように傾斜したカム面１６ｄが形成されている。
【００３２】
台座３を重量開閉体２に固着する固着部材１３はボルトであり、台座３の上下部に前後方向に形成した取付孔４０に挿入される。これら取付孔４０の形成位置は、図２に鎖線で示したようにレバーハンドル４の回転軸部５を中心にキャップ１４を台座３に対して９０度の角度に回転変位させたとき、取付孔４０がキャップ１４の外側に現れる位置になっている。
【００３３】
台座３の背面の位置決めボス部４１は、重量開閉体２の周辺枠体４２の前面板部４３の位置決め孔４４に嵌められ、位置決めボス部４１には筒状座金４５が嵌められる。取付孔４０から突出したボルト１３にはナット４６が嵌められ、筒状座金４５を介してナット４６が締め付けられる。
【００３４】
このように台座３の固着作業に当たっては、キャップ１４は台座３に対して直角な退避位置に置かれるのであるが、キャップ１４を少し手前に引き出して若干回転させ、キャップ１４の後面フランジ部１４ｂを前記カム面１６ｃ，１６ｄに当接させることによって、キャップ１４にはカム面１６ｃ，１６ｄの誘導作用とキャップ用バネ１５の押圧作用が働くため、キャップ１４は前記退避位置へ自動的に回転し、退避位置に保持されることになる。
【００３５】
台座３の固着作業の終了後、キャップ１４は台座３に対して整列する位置に戻され、キャップ用バネ１５の押圧付勢によってキャップ１４が台座３の前面部に嵌め合わされる。
このとき、完全に整列する位置に戻されなくても、キャップ１４がその近くまで来れば、キャップ１４の後面フランジ部１４ｂが前記カム面１６ａ，１６ｂに当接するため、キャップ１４はカム面１６ａ，１６ｂの誘導作用とキャップ用バネ１５の押圧作用によって、キャップ１４は整列位置へ自動的に回転し、台座３に嵌合した位置に保持される。
【００３６】
重量開閉体２は二枚ガラス板のサッシドアであり、前記溝部７を画定する水平断面Ｕ字形の仕切り壁部４７の対向４７ａ，４７ｂには、レバーハンドル４の前記連動軸２６が嵌められる軸孔４８，４９を形成してある。そのため、キックアーム８の固着された連動軸２６は、両持ちの安定した支持構造になっている。重量開閉体２の周辺枠体４２の横架壁部の中央部には、キックアーム８と操作体９が出入りする通り抜け用開口部５０を形成してあり、周辺枠体４２の前面壁板部４３には連動軸２６の通し孔５１を形成してある。
キックアーム８の操作体９によって重量開閉体２を固定枠体１から突き離すとき、レバーハンドル４の回転角度が垂直位置から９０度未満に規制され、その回転終端においてレバーハンドル４が停止するように設定すると、手掛け部４ａを握ってレバーハンドル４を横引きするとき、操作者の手が手掛け部４ａから滑り抜けたりして操作のために加えた力が逃げたり、無効化されることがない。
【００３７】
【発明の効果】
請求項１の発明の起動ハンドル装置では、単に重量開閉体２を女性や子供等の比較的非力な操作者によっても軽快に開放操作することができるというだけでなく、キャップ用バネ１５と台座３のカム面１６ｃ，１６ｄによって、キャップ１４が台座３と直角となる退避位置に誘導及び保持されるため、キャップ１４の存在に影響されずに台座３の固着作業を円滑に行うことができる。また、キャップ用バネ１５と台座３のカム面１６ａ，１６ｂによって、キャップ１４が台座３と正対する嵌合位置に誘導されるため、固着作業後の再嵌め合わせ操作も簡単になされる。
【００３８】
【００３９】
【００４０】
【００４１】
【００４２】
【００４３】
請求項２の発明の起動ハンドル装置では、キャップ１４の前面板部１４ｂと台座３の前面部との間に余裕空間が残され、キャップ押えリング３６の後端面３６ａに凸状の湾曲部と凹状の湾曲部が９０度の位相間隔で交互に形成され、円周方向に沿って後端面３６ａが波を打っており、前記バネ１５で付勢されたキャップ押えリング３６とキャップ１４の前面板部１４ｂとの間には適度の弾性によるクリック作用があるため、キャップ１４を台座３と正対する位置または台座３に直角な待機ないし退避位置に的確に保持することができる。
【図面の簡単な説明】
【図１】  本発明の一実施例に係る起動ハンドル装置を装備した重量開閉体の閉鎖状態を示す概略的な正面図である。
【図２】  図１の起動ハンドル装置の作動状態を示す正面図である。
【図３】  図１の起動ハンドル装置の背面図である。
【図４】  図１の起動ハンドル装置の重量開閉体への取付け状態を示す縦断面図である。
【図５】  図２のＡ−Ａ線断面図である。
【図６】  図１の起動ハンドル装置においてキックアームが重量開閉体の溝部内に収納された状態を示す縦断面図である。
【図７】  図１の起動ハンドル装置においてキックアームが固定枠体の側面を突き押した状態を示す縦断面図である。
【図８】  図６のＢ−Ｂ線断面図である。
【図９】  図１の起動ハンドル装置に用いた台座の正面図である。
【図１０】  図９の台座の背面図である。
【図１１】  図９の台座の左側面図である。
【図１２】  図９の台座の平面図である。
【図１３】  図１の起動ハンドル装置に用いたセットリングの正面図である。
【図１４】  図１３のセットリングの平面図である。
【図１５】  図１３のＣ−Ｃ線断面図である。
【図１６】  図１の起動ハンドル装置に用いたキャップ押えリングの正面図である。
【図１７】  図１６のＤ−Ｄ線断面図である。
【図１８】  図１６のＥ−Ｅ線断面図である。
【図１９】  図１の起動ハンドル装置に用いたキャップの背面図である。
【図２０】  図１の起動ハンドル装置に用いたスラストリングの正面図である。
【図２１】  図１の起動ハンドル装置に用いたハンドル用バネの正面図である。
【図２２】  図２１のハンドル用バネの左側面図である。
【図２３】  図１の起動ハンドル装置に用いたレバーハンドルの背面図である。
【図２４】  図２３のレバーハンドルの要部縦断面図である。
【符号の説明】
１    固定枠体
２    重量開閉体
３    台座
４    レバーハンドル
４ａ  握り部
５    レバーハンドルの回転軸部
６    重量開閉体の側面
７    重量開閉体の溝部
８    キックアーム８
９    キックアームの操作体
９ａ  操作体の円周面
１０    固定枠体の側面
１１    操作体の枢軸
１２    ハンドル用バネ
１３    固着部材
１４    キャップ
１５    キャップ用バネ
１６ａ  カム面
１６ｂ  カム面
１７    開口部
【図１】
0003719674.tif 000002
【図２】
0003719674.tif 000003
【図３】
0003719674.tif 000004
【図４】
0003719674.tif 000005
【図５】
0003719674.tif 000006
【図６】
0003719674.tif 000007
【図７】
0003719674.tif 000008
【図８】
0003719674.tif 000009
【図９】
0003719674.tif 000010
【図１０】
0003719674.tif 000011
【図１１】
0003719674.tif 000012
【図１２】
0003719674.tif 000013
【図１３】
0003719674.tif 000014
【図１４】
0003719674.tif 000015
【図１５】
0003719674.tif 000016
【図１６】
0003719674.tif 000017
【図１７】
0003719674.tif 000018
【図１８】
0003719674.tif 000019
【図１９】
0003719674.tif 000020
【図２０】
0003719674.tif 000021
【図２１】
0003719674.tif 000022
【図２２】
0003719674.tif 000023
【図２３】
0003719674.tif 000024
【図２４】
0003719674.tif 000025